(57)【要約】【課題】親局が認めた特定の子局およびユーザーにのみ特定データの利用を可能とした新規な親局管理・子局通信システム、親局管理・子局通信方法、親局管理・子局通信プログラムの提供。【解決手段】子局２０は、親局１０に対して特定データの配信要求をする際にその配信要求と共にその子局２０の個体情報とオペレータ情報の送信を送信する。親局１０は、その子局２０の個体情報とオペレータ情報が正当なものである場合に限り、要求された特定データを子局２０に配信する。これによって、親局１０が子局２０を管理しつつ親局１０からその特定データの配信を受けられないため、親局１０が認めた特定の子局２０およびユーザーにのみが特定データを利用可能となり、不正なデータ配信を未然に防止できる。【選択図】図２
2012038232.tif 000002
【特許請求の範囲】
【請求項１】
少なくとも１つ以上の親局と、少なくとも１つ以上の子局とをネットワークを介して双方向通信可能に接続した親局管理・子局通信であって、
前記親局は、
前記子局からの特定データ配信要求を受信する配信要求受信手段と、当該配信要求受信手段で受信した当該子局の個体情報と当該子局を操作するオペレータの個体情報とを識別する個体情報識別手段と、子局の個体情報とオペレータの個体情報とを管理する個体情報管理手段と、前記子局が配信要求する特定データを保存する特定データ保存手段と、前記子局からの配信要求に応じて前記特定データ保存手段に保存された特定データを暗号化して配信するデータ配信手段とを有し、
さらに当該データ配信手段は、前記個体情報識別手段で識別した子局の個体情報およびオペレータ情報が、前記識別情報管理手段で管理された情報と一致するときに前記特定データを暗号化して配信し、
前記子局は、
当該子局を操作するオペレータの個体情報を入力するオペレータ情報入力手段と、前記親局に対して前記特定データの配信要求を、当該子局の個体情報と前記オペレータ情報入力手段で入力されたオペレータ情報と共に配信する配信要求送信手段と、前記親局から配信されてきた特定データを受信するデータ受信手段と、当該データ受信手段で受信した特定データを復号化して当該子局のオペレータが認識可能な情報で再生するデータ再生手段と、当該データ再生手段で再生した特定データを再び暗号化して保存する特定データ記憶手段とを有し、
さらに当該データ再生手段は、当該子局のオペレータの要求に応じて前記特定データ記憶手段に記憶した特定データを復号化して再生することを特徴とする親局管理・子局通信システム。
【請求項２】
請求項１に記載の親局管理・子局通信システムにおいて、
前記子局のデータ再生手段は、
当該子局のオペレータの要求に応じて前記特定データ記憶手段に保存した特定データを復号化して再生するときは、前記配信要求送信手段に前記親局に対して当該子局の個体情報と当該子局を操作するオペレータ情報と共に配信することを要求し、
前記親局のデータ配信手段は、
前記特定データ配信要求と共に送信されてきた当該子局の個体情報とオペレータ情報とが、前記識別情報管理手段で管理された情報と一致するときは前記特定データ記憶手段に保存した特定データを復号化して再生することを許可する信号を送信し、
さらに前記子局のデータ再生手段は、
前記親局から前記再生許可信号を受信したときは前記特定データ記憶手段に記憶した特定データを復号化して再生することを特徴とする親局管理・子局通信システム。
【請求項３】
請求項１に記載の親局管理・子局通信システムにおいて、
前記親局のデータ配信手段は、
前記個体情報識別手段で識別した子局の個体情報およびオペレータ情報が、前記識別情報管理手段で管理された情報と一致しないときは、当該子局に対して当該子局の操作を停止する信号を配信し、
前記子局のデータ再生手段は、
前記操作停止信号を受信したときは当該子局の操作を停止することを特徴とする親局管理・子局通信システム。
【請求項４】
請求項３に記載の親局管理・子局通信システムにおいて、
前記親局のデータ配信手段は、
前記操作停止信号を配信した後、所定時間経過後に当該子局に対して当該子局の操作を停止を解除する信号を配信し、
前記子局のデータ再生手段は、
前記操作停止解除信号を受信したときは当該子局の操作の停止を解除することを特徴とする親局管理・子局通信システム。
【請求項５】
請求項１乃至３のいずれかに記載の親局管理・子局通信システムにおいて、
前記親局のデータ配信手段は、
当該子局に前記特定データを暗号化して配信するときは、当該子局の運用可能な時間に関する情報も併せて送信し、
前記子局のデータ再生手段は、
受信した当該子局の運用可能な時間に関する情報に基づいて当該子局の運用可能な時間を制限することを特徴とする親局管理・子局通信システム。
【請求項６】
請求項１乃至５のいずれかに記載の親局管理・子局通信システムにおいて、
前記子局が送信するオペレータ情報は、当該子局を操作するオペレータの生体情報であることを特徴とする親局管理・子局通信システム。
【請求項７】
請求項１乃至６のいずれかに記載の親局管理・子局通信システムにおいて、
前記子局は、当該子局の位置を検出すると共に検知した位置情報を前記親局に送信する位置情報検知手段をさらに備え、
前記親局のデータ配信手段は、位置情報検知手段から送信されてきた前記子局の位置情報に基づいて前記特定データの配信を制御することを特徴とする親局管理・子局通信システム。
【請求項８】
少なくとも１つ以上の親局と、少なくとも１つ以上の子局とをネットワークを介して双方向通信可能に接続した親局管理・子局通信方法であって、
前記親局は、
前記子局からの特定データ配信要求を受信する配信要求受信ステップと、当該配信要求受信ステップで受信した当該子局の個体情報と当該子局を操作するオペレータの個体情報とを識別する個体情報識別ステップと、子局の個体情報とオペレータの個体情報とを管理する個体情報管理ステップと、前記子局が配信要求する特定データを保存する特定データ保存ステップと、前記子局からの配信要求に応じて前記特定データ保存ステップで保存された特定データを暗号化して配信するデータ配信ステップとを含み、
さらに当該データ配信ステップは、前記個体情報識別ステップで識別した子局の個体情報およびオペレータ情報が、前記識別情報管理ステップで管理された情報と一致するときに前記特定データを暗号化して配信することを特徴とし、
前記子局は、
当該子局を操作するオペレータの個体情報を入力するオペレータ情報入力ステップと、前記親局に対して前記特定データの配信要求を、当該子局の個体情報と前記オペレータ情報入力ステップで入力されたオペレータ情報と共に配信する配信要求送信ステップと、前記親局から配信されてきた特定データを受信するデータ受信ステップと、当該データ受信ステップで受信した特定データを復号化して当該子局のオペレータが認識可能な情報で再生するデータ再生ステップと、当該データ再生ステップで再生した特定データを再び暗号化して保存する特定データ記憶ステップとを含み、
さらに当該データ再生ステップは、当該子局のオペレータの要求に応じて前記特定データ記憶ステップに記憶した特定データを復号化して再生することを特徴とする親局管理・子局通信方法。
【請求項９】
請求項８に記載の親局管理・子局通信方法において、
前記子局のデータ再生ステップは、
当該子局のオペレータの要求に応じて前記特定データ記憶ステップで保存した特定データを復号化して再生するときは、前記親局が子局に対して当該子局の個体情報と当該子局を操作するオペレータ情報と共に送信することを要求し、
前記親局のデータ配信ステップは、
前記特定データ配信要求と共に送信されてきた当該子局の個体情報とオペレータ情報とが、前記識別情報管理ステップで管理された情報と一致するときは前記特定データ記憶ステップで保存した特定データを復号化して再生することを許可する信号を送信し、
さらに前記子局のデータ再生ステップは、
前記親局から前記再生許可信号を受信したときは前記特定データ記憶ステップに記憶した特定データを復号化して再生することを特徴とする親局管理・子局通信方法。
【請求項１０】
請求項８に記載の親局管理・子局通信方法において、
前記親局のデータ配信ステップは、
前記個体情報識別ステップで識別した子局の個体情報およびオペレータ情報が、前記識別情報管理ステップで管理された情報と一致しないときは、当該子局に対して当該子局の操作を停止する信号を配信し、
前記子局のデータ再生ステップは、
前記操作停止信号を受信したときは当該子局の操作を停止することを特徴とする親局管理・子局通信方法。
【請求項１１】
請求項１０に記載の親局管理・子局通信方法において、
前記親局のデータ配信ステップは、
前記操作停止信号を配信した後、所定時間経過後に当該子局に対して当該子局の操作を停止を解除する信号を配信し、
前記子局のデータ再生ステップは、
前記操作停止解除信号を受信したときは当該子局の操作の停止を解除することを特徴とする親局管理・子局通信方法。
【請求項１２】
請求項８乃至１０のいずれかに記載の親局管理・子局通信方法において、
前記親局のデータ配信ステップは、
当該子局に前記特定データを暗号化して配信するときは、当該子局の運用可能な時間に関する情報も併せて配信し、
前記子局のデータ再生ステップは、
受信した当該子局の運用可能な時間に関する情報に基づいて当該子局の運用可能な時間を制限することを特徴とする親局管理・子局通信方法。
【請求項１３】
請求項８乃至１２のいずれかに記載の親局管理・子局通信方法において、
前記子局が送信するオペレータ情報は、当該子局を操作するオペレータの生体情報であることを特徴とする親局管理・子局通信方法。
【請求項１４】
請求項８乃至１３のいずれかに記載の親局管理・子局通信方法において、
前記子局は、当該子局の位置を検出すると共に検知した位置情報を前記親局に送信する位置情報検知ステップをさらに備え、
前記親局のデータ配信ステップは、位置情報検知手段から送信されてきた前記子局の位置情報に基づいて前記特定データの配信を制御することを特徴とする親局管理・子局通信方法。
【請求項１５】
少なくとも１つ以上の親局と、少なくとも１つ以上の子局とをネットワークを介して双方向通信可能に接続したシステムに組み込まれる親局管理・子局通信プログラムであって、
前記親局のコンピュータを、
前記子局からの特定データ配信要求を受信する配信要求受信手段と、当該配信要求受信手段で受信した当該子局の個体情報と当該子局を操作するオペレータの個体情報とを識別する個体情報識別手段と、子局の個体情報とオペレータの個体情報とを管理する個体情報管理手段と、前記子局が配信要求する特定データを保存する特定データ保存手段と、前記子局からの配信要求に応じて前記特定データ保存手段で保存された特定データを暗号化して配信するデータ配信手段として機能させると共に、
さらに当該データ配信手段を、前記個体情報識別手段で識別した子局の個体情報およびオペレータ情報が、前記識別情報管理手段で管理された情報と一致するときに前記特定データを暗号化して配信するように機能させ、
前記子局のコンピュータを、
当該子局を操作するオペレータの個体情報を入力するオペレータ情報入力手段と、前記親局に対して前記特定データの配信要求を、当該子局の個体情報と前記オペレータ情報入力手段で入力されたオペレータ情報と共に配信する配信要求送信手段と、前記親局から配信されてきた特定データを受信するデータ受信手段と、当該データ受信手段で受信した特定データを復号化して当該子局のオペレータが認識可能な情報で再生するデータ再生手段と、当該データ再生手段で再生した特定データを再び暗号化して保存する特定データ記憶手段として機能させると共に、
さらに当該データ再生手段を、当該子局のオペレータの要求に応じて前記特定データ記憶手段で記憶した特定データを復号化して再生するように機能させることを特徴とする親局管理・子局通信プログラム。
【請求項１６】
請求項１５に記載の親局管理・子局通信プログラムにおいて、
前記子局のデータ再生手段を、
当該子局のオペレータの要求に応じて前記特定データ記憶手段で保存した特定データを復号化して再生するときは、前記配信要求送信手段に当該子局の個体情報と当該子局を操作するオペレータ情報と共に配信することを要求するように機能させ、
前記親局のデータ配信手段を、
前記特定データ配信要求と共に送信されてきた当該子局の個体情報とオペレータ情報とが、前記識別情報管理手段で管理された情報と一致するときは前記特定データ記憶手段で保存した特定データを復号化して再生することを許可する信号を配信するように機能させ、
さらに前記子局のデータ再生手段を、
前記親局から前記再生許可信号を受信したときに前記特定データ記憶手段に記憶した特定データを復号化して再生するように機能させることを特徴とする親局管理・子局通信プログラム。
【請求項１７】
請求項１５に記載の親局管理・子局通信プログラムにおいて、
前記親局のデータ配信手段を、
前記個体情報識別手段で識別した子局の個体情報およびオペレータ情報が、前記識別情報管理手段で管理された情報と一致しないときは、当該子局に対して当該子局の操作を停止する信号を送信するように機能させ、
前記子局のデータ再生手段を、
前記操作停止信号を受信したときは当該子局の操作を停止するように機能させることを特徴とする親局管理・子局通信プログラム。
【請求項１８】
請求項１７に記載の親局管理・子局通信プログラムにおいて、
前記親局のデータ配信手段を、
前記操作停止信号を配信した後、所定時間経過後に当該子局に対して当該子局の操作を停止を解除する信号を配信するように機能させ、
前記子局のデータ再生手段を、
前記操作停止解除信号を受信したときは当該子局の操作の停止を解除するように機能させることを特徴とする親局管理・子局通信プログラム。
【請求項１９】
請求項１５乃至１７のいずれかに記載の親局管理・子局通信プログラムにおいて、
前記親局のデータ配信手段を、
当該子局に前記特定データを暗号化して配信するときは、当該子局の運用可能な時間に関する情報も併せて送信するように機能させ、
前記子局のデータ再生手段を、
受信した当該子局の運用可能な時間に関する情報に基づいて当該子局の運用可能な時間を制限するように機能させることを特徴とする親局管理・子局通信プログラム。
【請求項２０】
請求項１５乃至１９のいずれかに記載の親局管理・子局通信プログラムにおいて、
前記子局が送信するオペレータ情報は、当該子局を操作するオペレータの生体情報であることを特徴とする親局管理・子局通信プログラム。
【請求項２１】
請求項１５乃至２０のいずれかに記載の親局管理・子局通信プログラムにおいて、
前記子局を、当該子局の位置を検出すると共に検知した位置情報を前記親局に送信する位置情報検知手段としてさらに機能させ、
前記親局のデータ配信手段を、位置情報検知手段から送信されてきた前記子局の位置情報に基づいて前記特定データの配信を制御するようにさらに機能させることを特徴とする親局管理・子局通信プログラム。
【発明の詳細な説明】
【技術分野】
【０００１】
本発明は、親局が子局を管理しつつ特定のデータを子局からの要求などに応じて配信するための親局管理・子局通信システムおよび親局管理・子局通信方法並びに親局管理・子局通信プログラムに関するものである。
【背景技術】
【０００２】
近年のネットワーク技術の発展に伴い、自宅にいながらネットワークを介して最新の音楽や映画、書籍、ゲームなどの配信を受けて楽しむことが可能となってきているが、この種のデータ配信システムの問題としては、配信した電子データ（電子コンテンツ）の不正コピーなどといった不正利用がある。
【０００３】
不正コピーの防止策として従来では、例えば以下の特許文献１や２などに開示されているように、ファイル（電子データ）にパスワードなどの暗証番号を付与し、これを知っている人だけがファイルにアクセスできるようにした暗証番号付与方式や、特殊な書き込み装置を用いて媒体の特定個所を強制的にハードエラーにする等物理的に特殊な書き込みを行い、前記ハードエラー発生をファイルアクセスの前提条件としてプログラムを作成しておくことにより不正コピー時のファイルアクセスを防止する物理ガード方式などが提案されている。
【先行技術文献】
【特許文献】
【０００４】
【特許文献１】特開平５−２５０２６８号公報
【特許文献２】特開２００１−６７２６９号公報
【発明の概要】
【発明が解決しようとする課題】
【０００５】
しかしながら、配信された電子データの不正コピーを防止する技術として前述したような従来の暗証番号付与方式や物理ガード方式を採用した場合、第三者による不正コピーを防止することは可能となるが、その電子データ（端末）に自由にアクセスできるユーザー自身による不正コピー行為を防止することは困難である。
【０００６】
また、仮にその電子データ（端末）のユーザー自身による不正コピー行為を防止する技術があっても、その電子データを保存した端末自体が盗難にあったり、貸し借りや譲渡することによって結果的に不特定多数の者がその電子データを利用することが可能となってしまう。
【０００７】
そこで、本発明はこれらの課題を解決するために案出されたものであり、その主たる目的は、親局が子局を管理すると共に親局が認めた特定の子局およびユーザーにのみ特定データの利用を可能とした新規な親局管理・子局通信システムおよび親局管理・子局通信方法並びに親局管理・子局通信プログラムを提供するものである。
【課題を解決するための手段】
【０００８】
前記課題を解決するために第１の発明は、少なくとも１つ以上の親局と、少なくとも１つ以上の子局とをネットワークを介して双方向通信可能に接続した親局管理・子局通信システムであって、
前記親局は、前記子局からの特定データ配信要求を受信する配信要求受信手段と、当該配信要求受信手段で受信した当該子局の個体情報と当該子局を操作するオペレータの個体情報とを識別する個体情報識別手段と、子局の個体情報とオペレータの個体情報とを管理する個体情報管理手段と、前記子局が配信要求する特定データを保存する特定データ保存手段と、前記子局からの配信要求に応じて前記特定データ保存手段に保存された特定データを暗号化して配信するデータ配信手段とを有し、
さらに当該データ配信手段は、前記個体情報識別手段で識別した子局の個体情報およびオペレータ情報が、前記識別情報管理手段で管理された情報と一致するときに前記特定データを暗号化して配信し、
前記子局は、当該子局を操作するオペレータの個体情報を入力するオペレータ情報入力手段と、前記親局に対して前記特定データの配信要求を、当該子局の個体情報と前記オペレータ情報入力手段で入力されたオペレータ情報と共に配信する配信要求送信手段と、前記親局から配信されてきた特定データを受信するデータ受信手段と、当該データ受信手段で受信した特定データを復号化して当該子局のオペレータが認識可能な情報で再生するデータ再生手段と、当該データ再生手段で再生した特定データを再び暗号化して保存する特定データ記憶手段とを有し、
さらに当該データ再生手段は、当該子局のオペレータの要求に応じて前記特定データ記憶手段に記憶した特定データを復号化して再生することを特徴とする親局管理・子局通信システムである。
【０００９】
このような構成によれば、子局は親局に対して特定データの配信要求を、その子局の個体情報とオペレータ情報と共に配信しなければ、その特定データの配信を受けることができない。また、特定データは暗号化されてから子局に配信されるため、盗聴されてもこれを利用することができない。これによって、不正な子局やオペレータに対するデータ配信を防止することができる。
【００１０】
また、子局に配信された特定データを保存する場合には、再度暗号化されて子局側に保存されるため、特定データのみをコピーしてもこれを他の子局などで復号化することができない。これによって、不正コピーによる悪用を防止することができる。なお、この子局は、子局側における暗号化方式および復号化方式を複数用意しておき、親局の指示により、あるいは一定期間ごと、またはランダムにその暗号化方式および復号化方式を変更すればより確実に不正コピーによる悪用を防止することができる。
【００１１】
これにより、親局が子局を管理すると共に親局が認めた特定の子局およびユーザーに対してのみ特定データを利用させることが可能となる。
【００１２】
第２の発明は、第１の発明において、
前記子局のデータ再生手段は、当該子局のオペレータの要求に応じて前記特定データ記憶手段に保存した特定データを復号化して再生するときは、前記配信要求送信手段に前記親局に対して当該子局の個体情報と当該子局を操作するオペレータ情報と共に配信することを要求し、
前記親局のデータ配信手段は、前記特定データ配信要求と共に送信されてきた当該子局の個体情報とオペレータ情報とが、前記識別情報管理手段で管理された情報と一致するときは前記特定データ記憶手段に保存した特定データを復号化して再生することを許可する信号を送信し、
さらに前記子局のデータ再生手段は、前記親局から前記再生許可信号を受信したときは前記特定データ記憶手段に記憶した特定データを復号化して再生することを特徴とする親局管理・子局通信システムである。
【００１３】
このような構成によれば、子局に保存された特定データを再生（利用）するごとに、あるいは一定期間（数日〜数ヶ月など）またはランダムに、親局に対してその子局の個体情報とオペレータ情報とを配信して親局の認証を受けなければならないため、その子局が盗難された場合やその子局自体の貸し借り・譲渡などによるその特定データの不特定多数への利用を防止することができる。
【００１４】
第３の発明は、第１の発明において、
前記親局のデータ配信手段は、前記個体情報識別手段で識別した子局の個体情報およびオペレータ情報が、前記識別情報管理手段で管理された情報と一致しないときは、当該子局に対して当該子局の操作を停止する信号を送信し、
前記子局のデータ再生手段は、前記操作停止信号を受信したときは当該子局の操作を停止することを特徴とする親局管理・子局通信システムである。
【００１５】
このような構成によれば、不正な子局またはオペレータへの特定データの配信を停止できるだけでなく、その子局に対する一切の操作も禁止することができる。これによって、不正な子局またはオペレータに対する不正使用を防止できる。
【００１６】
第４の発明は、第４の発明において、
前記親局のデータ配信手段は、前記操作停止信号を配信した後、所定時間経過後に当該子局に対して当該子局の操作を停止を解除する信号を配信し、
前記子局のデータ再生手段は、前記操作停止解除信号を受信したときは当該子局の操作の停止を解除することを特徴とする親局管理・子局通信システムである。
【００１７】
このような構成によれば、不正なオペレータによる子局の操作後であっても、所定時間経過すれば、正当なオペレータによる子局の操作が可能となる。
【００１８】
第５の発明は、第１乃至第３の発明において、
前記親局のデータ配信手段は、当該子局に前記特定データを暗号化して配信するときは、当該子局の運用可能な時間に関する情報も併せて送信し、
前記子局のデータ再生手段は、受信した当該子局の運用可能な時間に関する情報に基づいて当該子局の運用可能な時間を制限することを特徴とする親局管理・子局通信システムである。
【００１９】
このような構成によれば、親局主導の下に子局の適正な運用を図ることができる。
【００２０】
第６の発明は、第１乃至第５の発明において、前記子局が送信するオペレータ情報は、当該子局を操作するオペレータの生体情報であることを特徴とする親局管理・子局通信システムである。
【００２１】
このような構成によれば、オペレータ情報の偽造が困難となるため、オペレータ認証をより正確に行うことができる。
【００２２】
第７の発明は、第１乃至第６発明において、前記子局は、当該子局の位置を検出すると共に検知した位置情報を前記親局に送信する位置情報検知手段をさらに備え、
前記親局のデータ配信手段は、位置情報検知手段から送信されてきた前記子局の位置情報に基づいて前記特定データの配信を制御することを特徴とする親局管理・子局通信システムである。
【００２３】
このような構成によれば、親局は子局の現在位置を把握することができるため、子局の位置情報をも考慮したきめ細かい特定データ配信を行うことができる。
【００２４】
第８の発明は、
少なくとも１つ以上の親局と、少なくとも１つ以上の子局とをネットワークを介して双方向通信可能に接続した親局管理・子局通信方法であって、
前記親局は、前記子局からの特定データ配信要求を受信する配信要求受信ステップと、当該配信要求受信ステップで受信した当該子局の個体情報と当該子局を操作するオペレータの個体情報とを識別する個体情報識別ステップと、子局の個体情報とオペレータの個体情報とを管理する個体情報管理ステップと、前記子局が配信要求する特定データを保存する特定データ保存ステップと、前記子局からの配信要求に応じて前記特定データ保存ステップで保存された特定データを暗号化して配信するデータ配信ステップとを含み、
さらに当該データ配信ステップは、前記個体情報識別ステップで識別した子局の個体情報およびオペレータ情報が、前記識別情報管理ステップで管理された情報と一致するときに前記特定データを暗号化して配信することを特徴とし、
前記子局は、当該子局を操作するオペレータの個体情報を入力するオペレータ情報入力ステップと、前記親局に対して前記特定データの配信要求を、当該子局の個体情報と前記オペレータ情報入力ステップで入力されたオペレータ情報と共に配信する配信要求送信ステップと、前記親局から配信されてきた特定データを受信するデータ受信ステップと、当該データ受信ステップで受信した特定データを復号化して当該子局のオペレータが認識可能な情報で再生するデータ再生ステップと、当該データ再生ステップで再生した特定データを再び暗号化して保存する特定データ記憶ステップとを含み、
さらに当該データ再生ステップは、当該子局のオペレータの要求に応じて前記特定データ記憶ステップに記憶した特定データを復号化して再生することを特徴とする親局管理・子局通信方法である。
【００２５】
このような方法によれば、子局は親局に対して特定データの配信要求を、その子局の個体情報とオペレータ情報と共に配信しなければ、その特定データの配信を受けることができない。また、特定データは暗号化されてから子局に配信されるため、盗聴されてもこれを利用することができない。これによって、不正な子局やオペレータに対するデータ配信を防止することができる。
【００２６】
また、子局に配信された特定データを保存する場合には、再度暗号化されて子局側に保存されるため、特定データのみをコピーしてもこれを他の子局などで復号化することができない。これによって、不正コピーによる悪用を防止することができる。なお、この子局は、子局側における暗号化方式および復号化方式を複数用意しておき、親局の指示により、あるいは一定期間ごと、またはランダムにその暗号化方式および復号化方式を変更すればより確実に不正コピーによる悪用を防止することができる。
【００２７】
これにより、親局が子局を管理しつつ親局が認めた特定の子局およびユーザーに対してのみ特定データを利用させることが可能となる。
【００２８】
第９の発明は、第８の発明において、
前記子局のデータ再生ステップは、当該子局のオペレータの要求に応じて前記特定データ記憶ステップで保存した特定データを復号化して再生するときは、前記親局が子局に対して当該子局の個体情報と当該子局を操作するオペレータ情報と共に配信することを要求し、
前記親局のデータ配信ステップは、前記特定データ配信要求と共に送信されてきた当該子局の個体情報とオペレータ情報とが、前記識別情報管理ステップで管理された情報と一致するときは前記特定データ記憶ステップで保存した特定データを復号化して再生することを許可する信号を送信し、
さらに前記子局のデータ再生ステップは、前記親局から前記再生許可信号を受信したときに前記特定データ記憶ステップに記憶した特定データを復号化して再生することを特徴とする親局管理・子局通信方法である。
【００２９】
このような方法によれば、子局に保存された特定データを再生（利用）するごとに、あるいは一定期間（数日〜数ヶ月など）またはランダムに、親局に対してその子局の個体情報とオペレータ情報とを配信して親局の認証を受けなければならないため、その子局が盗難にあったり、子局自体の貸し借り・譲渡などによるその特定データの不特定多数への利用を防止することができる。
【００３０】
第１０の発明は、第８の発明において、
前記親局のデータ配信ステップは、前記個体情報識別ステップで識別した子局の個体情報およびオペレータ情報が、前記識別情報管理ステップで管理された情報と一致しないときは、当該子局に対して当該子局の操作を停止する信号を送信し、
前記子局のデータ再生ステップは、前記操作停止信号を受信したときは当該子局の操作を停止することを特徴とする親局管理・子局通信方法である。
【００３１】
このような方法によれば、不正な子局またはオペレータへの特定データの配信を禁止できるだけでなく、その子局に対する一切の操作も禁止することができる。これによって、不正な子局またはオペレータに対する不正使用を防止できる。
【００３２】
第１１の発明は、第１０の発明において、
前記親局のデータ配信ステップは、前記操作停止信号を配信した後、所定時間経過後に当該子局に対して当該子局の操作を停止を解除する信号を配信し、
前記子局のデータ再生ステップは、前記操作停止解除信号を受信したときは当該子局の操作の停止を解除することを特徴とする親局管理・子局通信方法である。
【００３３】
このような方法によれば、不正なオペレータによる子局の操作後であっても、所定時間経過すれば、正当なオペレータによる子局の操作が可能となる。
【００３４】
第１２の発明は、第８乃至第１０の発明において、
前記親局のデータ配信ステップは、当該子局に前記特定データを暗号化して配信するときは、当該子局の運用可能な時間に関する情報も併せて送信し、
前記子局のデータ再生ステップは、受信した当該子局の運用可能な時間に関する情報に基づいて当該子局の運用可能な時間を制限することを特徴とする親局管理・子局通信方法である。
【００３５】
このような方法によれば、親局主導の下に子局の適正な運用を図ることができる。
【００３６】
第１３の発明は、第８乃至第１２の発明において、前記子局が送信するオペレータ情報は、当該子局を操作するオペレータの生体情報であることを特徴とする親局管理・子局通信方法である。
【００３７】
このような方法によれば、オペレータ情報の偽造が困難となるため、オペレータ認証をより正確に行うことができる。
【００３８】
第１４の発明は、第８乃至第１３発明において、前記子局は、当該子局の位置を検出すると共に検知した位置情報を前記親局に送信する位置情報検知ステップをさらに備え、
前記親局のデータ配信ステップは、位置情報検知ステップで送信されてきた前記子局の位置情報に基づいて前記特定データの配信を制御することを特徴とする親局管理・子局通信方法である。
【００３９】
このような方法によれば、親局は子局の現在位置を把握することができるため、子局の位置情報をも考慮したきめ細かい特定データ配信を行うことができる。
【００４０】
第１５の発明は、
少なくとも１つ以上の親局と、少なくとも１つ以上の子局とをネットワークを介して双方向通信可能に接続したシステムに組み込まれる親局管理・子局通信プログラムであって、
前記親局のコンピュータを、前記子局からの特定データ配信要求を受信する配信要求受信手段と、当該配信要求受信手段で受信した当該子局の個体情報と当該子局を操作するオペレータの個体情報とを識別する個体情報識別手段と、子局の個体情報とオペレータの個体情報とを管理する個体情報管理手段と、前記子局が配信要求する特定データを保存する特定データ保存手段と、前記子局からの配信要求に応じて前記特定データ保存手段で保存された特定データを暗号化して配信するデータ配信手段として機能させると共に、
さらに当該データ配信手段を、前記個体情報識別手段で識別した子局の個体情報およびオペレータ情報が、前記識別情報管理手段で管理された情報と一致するときに前記特定データを暗号化して配信するように機能させ、
前記子局のコンピュータを、当該子局を操作するオペレータの個体情報を入力するオペレータ情報入力手段と、前記親局に対して前記特定データの配信要求を、当該子局の個体情報と前記オペレータ情報入力手段で入力されたオペレータ情報と共に配信する配信要求送信手段と、前記親局から配信されてきた特定データを受信するデータ受信手段と、当該データ受信手段で受信した特定データを復号化して当該子局のオペレータが認識可能な情報で再生するデータ再生手段と、当該データ再生手段で再生した特定データを再び暗号化して保存する特定データ記憶手段として機能させると共に、
さらに当該データ再生手段を、当該子局のオペレータの要求に応じて前記特定データ記憶手段で記憶した特定データを復号化して再生するように機能させることを特徴とする親局管理・子局通信プログラムである。
【００４１】
このようなプログラムによれば、子局および親局の情報処理機能（ハードウェア構成）を利用して、子局は親局に対して特定データの配信要求を、その子局の個体情報とオペレータ情報と共に配信しなければ、その特定データの配信を受けることができないように機能させることができる。また、特定データは暗号化されてから子局に配信されるため、盗聴されてもこれを利用することができない。これによって、不正な子局やオペレータに対するデータ配信を防止することができる。
【００４２】
また、子局に配信された特定データを保存する場合には、再度暗号化されて子局側に保存されるため、特定データのみをコピーしてもこれを他の子局などで復号化することができない。これによって、不正コピーによる悪用を防止することができる。なお、この子局は、子局側における暗号化方式および復号化方式を複数用意しておき、親局の指示により、あるいは一定期間ごと、またはランダムにその暗号化方式および復号化方式を変更すればより確実に不正コピーによる悪用を防止することができる。
【００４３】
これにより、親局が子局を管理しつつ親局が認めた特定の子局およびユーザーに対してのみ特定データを利用させることが可能となる。
【００４４】
第１６の発明は、第１５の発明において、
前記子局のデータ再生手段を、当該子局のオペレータの要求に応じて前記特定データ記憶手段で保存した特定データを復号化して再生するときは、前記配信要求送信手段に対して当該子局の個体情報と当該子局を操作するオペレータ情報と共に配信することを要求するように機能させ、
前記親局のデータ配信手段を、前記特定データ配信要求と共に送信されてきた当該子局の個体情報とオペレータ情報とが、前記識別情報管理手段で管理された情報と一致するときは前記特定データ記憶手段で保存した特定データを復号化して再生することを許可する信号を送信するように機能させ、
さらに前記子局のデータ再生手段を、前記親局から前記再生許可信号を受信したときに前記特定データ記憶手段に記憶した特定データを復号化して再生するように機能させることを特徴とする親局管理・子局通信プログラムである。
【００４５】
このようなプログラムによれば、子局および親局の情報処理機能（ハードウェア構成）を利用して、子局に保存された特定データを再生（利用）するごとに、あるいは一定期間（数日〜数ヶ月など）またはランダムに、親局に対してその子局の個体情報とオペレータ情報とを配信して親局の認証を受けなければならないように機能させることができるため、その子局が盗難にあったり、その子局自体の貸し借り・譲渡などによるその特定データの不特定多数への利用を防止することができる。
【００４６】
第１７の発明は、第１５の発明において、
前記親局のデータ配信手段を、前記個体情報識別手段で識別した子局の個体情報およびオペレータ情報が、前記識別情報管理手段で管理された情報と一致しないときは、当該子局に対して当該子局の操作を停止する信号を送信するように機能させ、
前記子局のデータ再生手段を、前記操作停止信号を受信したときは当該子局の操作を停止するように機能させることを特徴とする親局管理・子局通信プログラムである。
【００４７】
このようなプログラムによれば、子局および親局の情報処理機能（ハードウェア構成）を利用して、不正な子局またはオペレータによる特定データの配信を禁止できるだけでなく、その子局に対する一切の操作も禁止することができる。これによって、不正な子局またはオペレータに対する不正使用も防止できる。
【００４８】
第１８の発明は、第１７の発明において、
前記親局のデータ配信手段を、前記操作停止信号を配信した後、所定時間経過後に当該子局に対して当該子局の操作を停止を解除する信号を配信するように機能させ、
前記子局のデータ再生手段を、前記操作停止解除信号を受信したときは当該子局の操作の停止を解除するように機能させることを特徴とする親局管理・子局通信プログラムである。
【００４９】
このようなプログラムによれば、子局および親局の情報処理機能（ハードウェア構成）を利用して、不正なオペレータによる子局の操作後であっても、所定時間経過すれば、正当なオペレータによる子局の操作を可能とすることができる。
【００５０】
第１９の発明は、第１５乃至第１７の発明において、
前記親局のデータ配信手段を、当該子局に前記特定データを暗号化して配信するときは、当該子局の運用可能な時間に関する情報も併せて送信するように機能させ、
前記子局のデータ再生手段を、受信した当該子局の運用可能な時間に関する情報に基づいて当該子局の運用可能な時間を制限するように機能させることを特徴とする親局管理・子局通信プログラムである。  
【００５１】
このようなプログラムによれば、子局および親局の情報処理機能（ハードウェア構成）を利用して、親局主導の下に子局の適正な運用を図ることができる。
【００５２】
第２０の発明は、第１５乃至第１９の発明において、前記子局が送信するオペレータ情報は、当該子局を操作するオペレータの生体情報であることを特徴とする親局管理・子局通信プログラムである。
【００５３】
このようなプログラムによれば、オペレータ情報の偽造が困難となるため、オペレータ認証をより正確に行うことができる。
【００５４】
第２１の発明は、第１５乃至第２０発明において、前記子局を、当該子局の位置を検出すると共に検知した位置情報を前記親局に送信する位置情報検知手段としてさらに機能させ、
前記親局のデータ配信手段を、位置情報検知手段から送信されてきた前記子局の位置情報に基づいて前記特定データの配信を制御するように機能させることを特徴とする親局管理・子局通信プログラムである。
【００５５】
このようなプログラムによれば、親局は子局の現在位置を把握することができるため、子局の位置情報をも考慮したきめ細かい特定データ配信を行うことができる。
【発明の効果】
【００５６】
本発明によれば、以下に示すような種々の効果を発揮できる。
（１）子局は親局に対して特定データの配信要求を、その子局の個体情報とオペレータ情報と共に配信しなければ、その特定データの配信を受けることができない。また、特定データは暗号化されてから子局に配信されるため、盗聴されてもこれを利用することができない。これによって、不正な子局やオペレータに対するデータ配信を防止することができる。
（２）子局に配信された特定データを保存する場合には、再度暗号化されて子局側に保存されるため、特定データのみをコピーしてもこれを他の子局などで復号化することができない。これによって、不正コピーによる悪用を防止することができる。
（３）これにより、親局が子局を管理しつつ親局が認めた特定の子局およびユーザーに対してのみ特定データを利用させることが可能となる。
（４）子局に保存された特定データを再生（利用）する度に、親局に対してその子局の個体情報とオペレータ情報とを配信して親局の認証を受けなければならないため、その子局自体の貸し借りによるその特定データの不特定多数への利用を防止することができる。
（５）不正な子局またはオペレータによる特定データの配信を禁止できるだけでなく、その子局に対する一切の操作も禁止することができる。これによって、正当な子局に対する不正なオペレータによる悪用も防止できる。
（６）不正なオペレータによる子局の操作後であっても、所定時間経過すれば、正当なオペレータによる操作を可能とすることができる。
（７）親局主導の下に子局の適正な運用を図ることができる。
（８）オペレータ情報としてオペレータの生体情報を用いることによって、オペレータ情報の偽造が困難となるため、オペレータ認証をより正確に行うことができる。
（９）親局は子局の現在位置を把握することができるため、子局の位置情報をも考慮したきめ細かい特定データ配信を行うことができる。
【図面の簡単な説明】
【００５７】
【図１】本発明に係る親局管理・子局通信システム１００を示す概念図である。
【図２】本発明に係る親局管理・子局通信システム１００を構成する親局１０と子局２０の機能構成を示すブロック図である。
【図３】親局１０のハードウェア構成を示す図である。
【図４】子局２０のハードウェア構成を示す図である。
【図５】配信要求受信手段１１の機能を示すフローチャート図である。
【図６】個体情報識別手段１２の機能を示すフローチャート図である。
【図７】個体情報管理手段１３の機能を示すフローチャート図である。
【図８】特定データ保存手段１４の機能を示すフローチャート図である。
【図９】データ配信手段１５の機能を示すフローチャート図である。
【図１０】オペレータ情報入力手段２１の機能を示すフローチャート図である。
【図１１】配信要求送信手段２２の機能を示すフローチャート図である。
【図１２】データ受信手段２３の機能を示すフローチャート図である。
【図１３】データ再生手段２４の機能を示すフローチャート図である。
【図１４】特定データ記憶手段２５の機能を示すフローチャート図である。
【図１５】本発明に係る親局管理・子局通信システム１００による第１の実施の形態を示すフローチャート図である。
【図１６】本発明に係る親局管理・子局通信システム１００による第２の実施の形態を示すフローチャート図である。
【図１７】本発明に係る親局管理・子局通信システム１００による第３の実施の形態を示すフローチャート図である。
【図１８】本発明に係る親局管理・子局通信システム１００による第４の実施の形態を示すフローチャート図である。
【図１９】本発明に係る親局管理・子局通信システム１００を構成する親局１０と子局２０の他の機能構成を示すブロック図である。
【図２０】親局１０のハードウェア構成の他の例を示す図である。
【図２１】子局２０のハードウェア構成の他の例を示す図である。
【図２２】位置情報検知手段２６の機能を示すフローチャート図である。
【図２３】データ配信手段１５の機能の他の例を示すフローチャート図である。
【図２４】本発明に係る親局管理・子局通信システム１００による第５の実施の形態を示すフローチャート図である。
【発明を実施するための形態】
【００５８】
次に、本発明の実施の形態を添付図面を参照しながら説明する。
【００５９】
（第１の実施形態）
図１乃至図１５は、本発明に係る親局管理・子局通信システム１００の第１の実施形態を示したものである。図示するようにこの親局管理・子局通信システム１００は、少なくとも１つ以上の親局１０−１、１０−２、１０−３、…、１０−ｎと、少なくとも１つ以上の子局２０−１、２０−２、２０−３、…、２０−ｎとをネットワークＮを介して双方向通信可能に接続した構成となっている。
【００６０】
ここで、ネットワークＮとしては親局１０と子局２０とが双方向通信可能なものであれば特に限定されるものでなく、例えばインターネットワーク、携帯電話網、ＰＡＮ(Personal Area Network)、ＬＡＮ(Local Area Network）、ＣＡＮ(Campus Area Network)、ＭＡＮ(Metropolitan Area Network)、ＷＡＮ(Wide Area Network)、ＧＡＮ(Global Area Network)などのようなコンピュータネットワークであればいずれも利用することができる。従って、テレビ放送やラジオ放送のような一方向の通信は含まない。
【００６１】
また、このネットワークＮで利用される通信規約（通信プロトコル）も特に限定されるものでなく、各ネットワークや本システムで採用する通信ソフトウェアで標準的に利用されているもの、例えば、ＴＣＰ／ＩＰ(Transmission Control Protocol/Internet Protocol) やＨＴＴＰ（HyperText Transfer Protocol）、ＰＰＰ（point-to-point protocol）、Ｂｌｕｅｔｏｏｔｈ、Ｗｉ−Ｆｉなどの公知のものを用いることができる
【００６２】
親局１０は、図２に示すように配信要求受信手段１１と、個体情報識別手段１２と、個体情報管理手段１３と、特定データ保存手段１４と、データ配信手段１５とを有して構成されており、それぞれが特有の特定データを保有している。そして、子局２０からの配信要求に対して自己が保有する特定データなどを、後述する条件に従って配信するサーバとして主に機能する。
【００６３】
ここで、親局１０が保持する特定データとは、特に限定するものでなく、例えば電子書籍データ、音楽データ、画像データ、動画データ、ゲームソフト、アプリケーションソフト、各種制御プログラムなどのネットワーク配信可能な各種電子データを含む。そして、各親局１０が保持する特定データの種類も様々であり、これらすべての電子データを保持する親局１０もあれば、電子書籍データ配信専用のものや音楽データ配信専用のものが含まれる。
【００６４】
この親局１０は、図３に示すように電子計算機（コンピュータ：情報処理システム）から構成されており、ＣＰＵ（演算装置）３０、ＲＯＭ（読出専用記憶装置）３１、ＲＡＭ（主記憶装置）３２、バス３３、Ｉ／Ｆ（入出力インタフェース）３４、入力装置３５、表示装置３６、個体情報管理データベース（ＤＢ）３７、特定データ管理データベース（ＤＢ）３８などからなるハードウェアと、ＲＯＭ３１に予め記録された親局１０専用の各種制御プログラム（ソフトウェア）とによって図２に示すような各手段１１乃至１５の機能を実現する。
【００６５】
図５は、この親局１０の配信要求受信手段１１の機能を示すフローチャート図である。この配信要求受信手段１１は、親局１０がスタンバイ状態となると同時に起動し、図示するように最初のステップＳ１１１に移行する。
【００６６】
ステップＳ１１１では、いずれかの子局２０から送信される信号に基づいて自己が保有する特定データの配信要求があるか否かを判断し、配信要求があったと判断したとき（Ｙｅｓ）は、次のステップ１１３に移行する。特定データ配信要求がないと判断したとき（Ｎｏ）は、配信要求があるまでそのまま待機する。
【００６７】
ステップＳ１１３では、受信した特定データ配信要求と共に、その子局２０の固有の識別情報（以下、これを「個体情報」という）、およびその子局２０を操作するオペレータ（利用者）の固有の識別情報（以下、これを「オペレータ情報」という）が付加されているか否かを判断する。なお、ここで子局２０の個体情報としては特に限定されるものでなく、例えばＩＰアドレスやＭＡＣアドレスなどの一意に識別できる情報を用いることができる。また、オペレータ情報も特に限定されるものでなく、例えば特殊な数字や記号、文字、アルファベットの組み合わせなどからなるパスワードなどを用いることができる。
【００６８】
この判断処理の結果、両方の情報が付加されていないと判断したとき（Ｎｏ）は、最後のステップＳ１１５に移行して配信要求してきた子局２０に対して不足している情報を要求して処理を終了する。これとは反対にいずれの情報も付加されていると判断したとき（Ｙｅｓ）は、そのまま終了する。
【００６９】
図６は、同じくこの親局１０の個体情報識別手段１２の機能を示すフローチャート図である。この個体情報識別手段１２は、少なくとも配信要求受信手段１１が起動すると同時に起動し、図示するように最初のステップＳ１２１に移行する。
【００７０】
ステップＳ１２１では、前記配信要求受信手段１１が取得した子局２０の個体情報およびオペレータ情報を自己が所有する管理情報と照合してからステップＳ１２３に移行する。すなわち、この個体情報識別手段１２は、親局１０と通信可能な子局２０の個体情報と、その子局２０を利用するオペレータ情報とを関連付けて登録した情報（登録リスト）を、図３に示すような個体情報管理ＤＢ３７に保有しており、この登録リストと照合することによってその子局２０の個体情報またはその子局２０を利用するオペレータ情報、あるいはその組み合わせが正しいか否かを正確に判定できるようになっている。
【００７１】
ステップＳ１２３では、その照合結果をデータ配信手段１５に通知して個体情報識別処理を終了する。
【００７２】
図７は、同じくこの親局１０の個体情報管理手段１３の機能を示すフローチャート図である。この個体情報管理手段１３は、少なくとも配信要求受信手段１１が起動すると同時に起動し、図示するように最初のステップＳ１３１に移行する。
【００７３】
ステップＳ１３１では、システム管理者などによる正当なルートを介して新たな子局２０の個体情報およびオペレータ情報の登録要求があるか否かを判断し、要求があると判断したとき（Ｙｅｓ）には次のステップＳ１３３に移行する。これとは反対に、登録要求がないと判断したとき（Ｎｏ）は、新たな情報が送られてくるまでそのまま待機する。
【００７４】
ステップＳ１３３では、新たに取得した子局２０の個体情報およびオペレータ情報を関連付けて個体情報管理ＤＢ（記憶装置）３７に保存して個体情報管理処理を終了する。なお、ここで登録された子局２０の個体情報およびオペレータ情報は、前記個体情報識別手段１３で利用されることはいうまでもない。
【００７５】
図８は、同じくこの親局１０の特定データ保存手段１４の機能を示すフローチャート図である。この特定データ保存手段１４も少なくとも配信要求受信手段１１が起動すると同時に起動し、図示するように最初のステップＳ１４１に移行する。
【００７６】
ステップＳ１４１では、システム管理者などによる正当なルートを介して新たな特定データの保存要求があるか否かを判断し、保存要求があると判断したとき（Ｙｅｓ）には次のステップＳ１４３に移行する。これとは反対に、保存要求がないと判断したとき（Ｎｏ）は、新たな保存要求があるまでそのまま待機する。
【００７７】
ステップＳ１４３では、新たな特定データを特定データ管理ＤＢ（記憶装置）３８に保存して特定データ保存処理を終了する。なお、ここで保存された特定データは、子局２０に配信可能な特定データとして利用されることはいうまでもない。
【００７８】
図９は、同じくこの親局１０のデータ配信手段１５の機能を示すフローチャート図である。このデータ配信手段１５は、少なくとも個体情報識別手段１２が起動すると同時に起動し、図示するように最初のステップＳ１５１に移行する。
【００７９】
ステップＳ１５１では、個体情報識別手段１２から送られてきた照合結果を判断し、いずれの情報およびその組み合わせが、個体情報管理ＤＢ３７で管理された正当な情報と一致するか否かを判断し、一致すると判断したとき（Ｙｅｓ）は次のステップＳ１５３に移行する。反対に、一致しないと判断したとき（Ｎｏ）は、ステップＳ１５２に移行して子局２０に送信拒否通知をして処理を終了する。
【００８０】
ステップＳ１５３では、その要求が正当な子局２０および利用者からのものとみなして要求された特定データを特定データ管理ＤＢ３８から読み出して次にステップ１５５に移行する。
【００８１】
ステップＳ１５５では、読み出した特定データを暗号化して要求してきた子局２０に対して配信して処理を終了する。ここで、特定データを暗号化する方式としては、容易に解読（復号化）できないものであれば特に限定されるものでなく、公知の暗号化技術、例えば、ＡＥＳ(Advanced Encryption Standard)、ＤＥＳ(Data Encryption Standard)（ブロック暗号）、ＲＣ４（ストリーム暗号）などの共通鍵暗号方式や、ＲＳＡ、楕円曲線暗号(ＥＣＣ)、ＥｌＧａｍａｌなどの公開鍵暗号方式などを用いることができる。
【００８２】
一方、子局２０は、図２に示すようにオペレータ情報入力手段２１と、配信要求送信手段２２と、データ受信手段２３と、データ再生手段２４と、特定データ記憶手段２５とを有して構成されており、それぞれが特有の個体情報を保有している。そして、いずれかの親局１０に対して特定データの配信要求を送信し、後述する手順で特定データを受信し、その特定データを利用者が認識可能な音声や映像などに変換して再生する。
【００８３】
この子局２０も親局１０と同様、図４に示すように電子計算機（コンピュータ：情報処理システム）から構成されており、ＣＰＵ（演算装置）４０、ＲＯＭ（読出専用記憶装置）４１、ＲＡＭ（主記憶装置）４２、バス４３、Ｉ／Ｆ（入出力インタフェース）４４、入力装置４５、表示装置４６、印刷装置４７、特定データ記憶装置４８などからなるハードウェアと、ＲＯＭ４１に予め記録された子局２０専用の各種制御プログラム（ソフトウェア）とによって図２に示すような各手段２１乃至２５の機能を実現する。
【００８４】
なお、この子局２０は、パーソナルコンピュータ（ＰＣ）などの汎用の情報処理装置（電子計算機）やデジタルテレビ、据置型ゲーム機の他に、携帯電話やＰＤＡ(Personal Digital Assistant)、携帯型ゲーム機などの携帯情報端末によっても実現することが可能であり、その場合は印刷装置４７は必要となるものではない。
【００８５】
図１０は、この子局２０のオペレータ情報入力手段２１の機能を示すフローチャート図である。このオペレータ情報入力手段２１は、子局２０がスタンバイ状態となると同時に起動し、図示するように最初のステップＳ２１１に移行する。
【００８６】
ステップＳ２１１では、子局２０を操作するオペレータ固有の個体情報であるオペレータ情報の入力があるか否かを判断し、オペレータ情報の入力があったと判断したとき（Ｙｅｓ）は次のステップＳ２１３に移行し、オペレータ情報の入力がないと判断したとき（Ｎｏ）は、オペレータ情報の入力があるまでそのまま待機する（入力待ち受け状態）。
【００８７】
ここで、オペレータ固有の個体情報とは、そのオペレータ個人を特定するための情報であれば特に限定されるものでなく、例えば前述したパスワードや磁気カード、電子カードなどの他に、そのオペレータ個人の指紋や声紋、網膜、虹彩、掌形、顔形、静脈、ＤＮＡ、筆跡などの生体情報を利用した公知の生体認証(biometrics)技術を単独あるいは適宜組み合わせたものを用いることが好ましい。
【００８８】
ステップＳ２１３では、入力されたオペレータ情報を配信要求送信手段２２に通知して処理を終了する。
【００８９】
図１１は、同じくこの子局２０の配信要求送信手段２２の機能を示すフローチャート図である。この配信要求送信手段２２は、少なくともオペレータ情報入力手段２１が起動すると同時に起動して最初のステップＳ２２１に移行する。
【００９０】
ステップＳ２２１では、特定データの配信要求があるか否かを判断し、配信要求があったと判断したとき（Ｙｅｓ）は、次のステップＳ２２３に移行し、配信要求がないと判断したとき（Ｎｏ）は、配信要求があるまでそのまま待機する（待ち受け状態）。
【００９１】
ここで、特定データの配信要求とは、ユーザーとなるオペレータが希望する特定データの配信要求をいい、例えば子局２０の特定データ記憶装置４８などに、配信可能な多数の特定データが記載されたリストが記録されており、これを子局２０の表示装置４６に呼び出して表示した状態でその中からオペレータが任意に選択した特定データの配信要求をいう。
【００９２】
ステップＳ２２３では、選択した特定データの配信要求を、その子局２０の個体情報（ＩＰアドレスやＭＡＣアドレスなど）と先に入力したオペレータ情報と共にその選択した特定データを有する親局１０に配信して処理を終了する。
【００９３】
図１２は、同じくこの子局２０のデータ受信手段２３の機能を示すフローチャート図である。このデータ受信手段２３は、少なくとも前記配信要求送信手段２２が起動すると同時に起動して最初のステップＳ２３１に移行する。
【００９４】
ステップＳ２３１では、いずれかの親局１０から特定データが配信されてきたか否かを判断し、配信されてきたと判断したとき（Ｙｅｓ）は、次のステップＳ２３３に移行するが、配信されてこないと判断したとき（Ｎｏ）は、特定データが配信されてくるまでそのまま所定時間待機する（待ち受け状態）。
【００９５】
ステップＳ２３３では、配信されてきた特定データを受信すると共に、受信した特定データをデータ再生手段２４に配信してデータ受信処理を終了する。
【００９６】
図１３は、同じくこの子局２０のデータ再生手段２４の機能を示すフローチャート図である。このデータ再生手段２４は、少なくとも前記データ受信手段２３が起動すると同時に起動して最初のステップＳ２４１に移行する。
【００９７】
ステップＳ２４１では、前記受信データ受信手段２３が特定データを受信したか否かを判断し、受信したと判断したとき（Ｙｅｓ）は、次のステップＳ２４３に移行するが、受信してないと判断したとき（Ｎｏ）は、特定データを受信するまでそのまま所定時間待機する（待ち受け状態）。
【００９８】
ステップＳ２４３では、受信した特定データを復号化して再生してから次のステップＳ２４５に移行する。ここで、特定データの再生とは、オペレータがその特定データを五感を介して認識（利用）できるような状態にすることをいう。例えば特定データが電子書籍データである場合には、オペレータが判読可能な文字情報に変換して表示装置３６などに表示することをいい、また、特定データが音声データである場合には、オペレータが聴覚可能な音声に変換して表示装置３６などに附属されているスピーカーから発音することをいう。
【００９９】
ステップＳ２４５では、後述する特定データ記憶手段２５で保存した特定データの再生要求があるか否かを判断し、再生要求ありと判断したとき（Ｙｅｓ）は、次のステップＳ２４７に移行するが、再生要求がないと判断したとき（Ｎｏ）は、要求があるまでそのまま待機する。
【０１００】
ステップＳ２４７では、特定データ記憶装置４８に保存した特定データを読み出し、再び復号化して再生することで処理を終了する。
【０１０１】
図１４は、同じくこの子局２０の特定データ記憶手段２５の機能を示すフローチャート図である。この特定データ記憶手段２５は、少なくとも前記データ再生手段２４が起動すると同時に起動して最初のステップＳ２５１に移行する。
【０１０２】
ステップＳ２５１では、オペレータによる前記データ再生手段２４で最初に再生した再生データの保存要求があるか否かを、入力装置３５などの操作状況から判断し、保存要求があると判断したとき（Ｙｅｓ）は、次のステップＳ２５３に移行し、保存要求がないと判断したとき（Ｎｏ）は、そのまま待機する。すなわち、特定データ記憶装置４８の記憶容量などからして配信されてきた特定データのすべてを保存するか否かをユーザーに委ねるようにすることが望ましいからである。
【０１０３】
ステップＳ２５３では、前記データ再生手段２４で再生した再生データを再び暗号化して特定データ記憶装置４８に保存して処理を終了する。なお、この特定データ記憶手段２５による処理は、最初に受信した特定データを再生したデータを保存する際の処理であり、既に特定データ記憶装置４８に保存してある特定データを再生したデータは対象としない（必要がない）。
【０１０４】
次に、このような構成をした親局管理・子局通信システム１００の全体の処理の流れを図１５を主に参照しながら説明する。
【０１０５】
まず、子局２０は、電源が投入されて操作入力待ち状態になったならば、オペレータによる入力装置３５などの操作状況から特定データ配信要求があるか否かを判断する（ステップＳ４００）。特定データ配信要求がないと判断したとき（Ｎｏ）は、そのまま待機するが、特定データ配信要求があったと判断したとき（Ｎｏ）は、次のステップＳ４０２に移行する。
【０１０６】
子局２０は、次のステップＳ４０２においてその特定データ配信要求をネットワークＮを介してその子局２０の個体情報およびオペレータ情報と共に送信して次のステップＳ４０４に移行する。
【０１０７】
一方、親局１０は、電源投入後スタンバイ状態になったならいずれかの子局２０から自己宛に特定データ配信要求があるか否かを判断（ステップＳ３００）しており、その特定データ配信要求を受信したと判断した（Ｙｅｓ）ならば、次のステップＳ３０２に移行する。特定データ配信要求を受信しないとき（Ｎｏ）は、要求を受信するまでそのまま待機する。
【０１０８】
親局１０は、その特定データ配信要求と共に送られてきた子局２０の個体情報およびオペレータ情報を、自己が保持している子局２０の管理情報と照合する（ステップＳ３０４）。この結果、いずれの情報も一致していると判断したとき（Ｙｅｓ）は、次のステップＳ３０６に移行するが、いずれか一方の情報が一致していないと判断したときは、その子局２０に対して特定データの配信を拒否する旨の通知を行う。
【０１０９】
これによって、親局１０側に登録されていない不正な子局２０や不正なユーザーに対する特定データの配信を回避できる。具体的には、登録されていない不正な子局２０を用いた場合は勿論、正当な子局２０を紛失した場合、これを拾得した他人が勝手にその子局２０を操作して特定データを取得するなどといった不正を未然に防止することができる。
【０１１０】
そして、親局１０は、いずれの情報も一致していると判断したときは、正当な子局２０および正当なユーザーからの要求であるとみなして、要求された特定データを特定データ管理ＤＢ３８から読み出すと共にこれを暗号化してからネットワークＮを介してその子局２０に配信する（ステップＳ３０６）。
【０１１１】
このように要求された特定データをそのまま配信するのではなく、これを暗号化してから配信することでその配信途中で第三者に盗聴されても第三者はこれを利用することができない。また、不正な子局やオペレータに対して配信された場合でもその利用を防止することができる。
【０１１２】
次に、特定データ配信要求を送信した子局２０は、その後、親局１０から配信拒否通知の受信の有無を判断し（ステップＳ４０４）、配信拒否通知を受信した場合には、そのまま処理を終了する。
【０１１３】
これによって、特定データ配信要求を行ったユーザーは、配信した子局個体情報またはオペレータ情報のいずれかが誤っていること、あるいは不正な行為ができないことを認識することができる。
【０１１４】
次に、特定データ配信要求を送信した子局２０は、配信拒否通知を受信しなかった場合には、その要求した特定データの受信の有無を判断し（ステップＳ４０５）、所定時間経過しても特定データを受信しなかった場合には処理を終了するが、要求した特定データの受信した場合には、その特定データを復号化して再生する（ステップＳ４０６）。
【０１１５】
これによって、正当な子局２０および利用者が、要求した特定データを利用したり、楽しんだりすることができる。なお、この子局２０は、要求した特定データを正常に受信した場合には、その受信通知を親局１０に自動的に送信し、これを受信した親局１０がそのサービスに対して適当な課金処理などを行うようにしても良い。
【０１１６】
次に、この子局２０は、その特定データの再生中あるいは終了後に、オペレータによる入力装置３５などの操作状況から、復号化した特定データの保存要求があるか否かを判断し（ステップＳ４０８）、保存要求がなければそのまま終了するが、保存要求があった場合には、その復号化した特定データを再度暗号化して自己の特定データ記憶装置４８に保存する（ステップＳ４１０）。
【０１１７】
そして、さらにこの子局２０は、オペレータによる入力装置３５などの操作状況から、自己の特定データ記憶装置４８に保存した特定データを再生要求があるか否かを判断し（ステップＳ４１２）、再生要求がなければそのまま終了するが、再生要求があった場合には、自己の特定データ記憶装置４８に保存してある特定データを読み出し、再度復号化してから再生する（ステップＳ４１４）。
【０１１８】
このように子局２０は、再生した特定データを自己の特定データ記憶装置４８に保存するに際してはそのまま復号化された状態で保存するのではなく、再び暗号化して保存するようにしたため、その保存した特定データを他人が不正に取得（不正コピー）した場合や利用者が不正にコピーして他人に譲渡した場合であっても、他の機器ではその特定データを復号化できない。
【０１１９】
これによって、子局２０に配信された特定データの不正取得や不正コピーなどによる悪用を確実に防止することができる。なお、この子局２０による特定データの暗号化は、親局１０がその特定データを配信する際の暗号方式と同じであっても良いが、その子局２０でのみ利用される特殊な暗号方式（暗号化アルゴリズム）を用いることが好ましい。
【０１２０】
このような本発明の親局管理・子局通信システム１００によれば、親局１０が認めた特定の子局２０およびユーザーに対してのみ特定データを配信して利用させることが可能となる。
【０１２１】
（第２の実施形態）
次に、本発明に係る親局管理・子局通信システム１００の第２の実施形態を説明する。なお、本実施の形態の親局管理・子局通信システム１００の構成は前述した第１の実施形態と同じであるため、その説明は割愛する。
【０１２２】
図１６は、第２の実施形態に係る親局管理・子局通信システム１００の処理の流れを示したものであり、前記第１の実施形態において、子局２０に一旦保存した特定データを復号化して再生する際（図１５のステップＳ４１２、Ｓ４１４）の処理の流れを示したものである。
【０１２３】
まず、子局２０は、オペレータによる入力装置３５などの操作状況から、自己の特定データ記憶装置４８に一旦保存した特定データの再生要求があるか否かを判断し（ステップＳ４１６）、再生要求がなければそのまま待機するが、再生要求があった場合には、その子局２０のユーザーに対してそのオペレータ情報の入力を求め、入力されたオペレータ情報をその子局２０の個体情報と共に親局１０に送信する（ステップＳ４１８）。
【０１２４】
親局１０は、子局２０からこの個体情報を受信したかどうか判断し（ステップＳ３０８）、受信したと判断したときは、その受信した子局２０の個体情報とオペレータ情報を、自己が保有している管理情報と照合し（ステップＳ３１０）、いずれの情報も管理情報と一致しているか否かを判断する（ステップＳ３１２）。
【０１２５】
この結果、子局２０から送られてきた子局２０の個体情報とオペレータ情報のいずれか一方あるいはその組み合わせが自己が保有している管理情報と一致していなければ、再生不許可通知をその子局２０に通知し、反対にすべて一致している場合には、再生許可通知をその子局２０に通知する（ステップＳ３１４）。
【０１２６】
子局２０は、親局１０からこの再生許可通知を受信した場合には、保存した特定データを復号化して再生することになる（ステップＳ４２２、Ｓ４２４）が、親局１０から再生不許可通知を受信するか、あるいは所定時間経過しても再生許可通知を受信しない場合（ステップＳ４２０，Ｓ４２４）には、要求された特定データの再生を認めないと判断してその旨を表示して（ステップＳ４２６）処理を終了する。
【０１２７】
このように本実施の形態は、特定データの配信を受けるときだけでなく、子局２０に保存された特定データを再生（利用）する度にも、親局１０に対してその子局２０の個体情報とオペレータ情報とを送信して親局１０の認証（再生許可）を受けるようにしたものである。なお、このような親局１０の認証（再生許可）は、常に特定データを再生（利用）するごとに行わなくても良く、一定期間（例えば数日〜数ヶ月）だけ、あるいはランダムに行うようにすれば、処理負荷が軽減することができる。
【０１２８】
従って、本実施の形態によれば、その子局２０が盗難された場合やその子局２０の盗難やその子局２０自体の貸し借り・譲渡などによるその特定データの不特定多数への利用をも効果的に防止することが可能となる。
【０１２９】
なお、この子局２０は、子局２０側における暗号化方式および復号化方式を複数用意しておき、親局１０の指示により、あるいは一定期間（例えば数日〜数ヶ月）ごと、またはランダムにその暗号化方式および復号化方式を変更すれば、より確実に不正コピーによる悪用を防止することが可能となる。
【０１３０】
（第３の実施形態）
次に、本発明に係る親局管理・子局通信システム１００の第３の実施形態を説明する。なお、本実施の形態の親局管理・子局通信システム１００の構成も前述した第１の実施の形態と同じであるため、その説明は割愛する。
【０１３１】
図１７は、第３の実施形態に係る親局管理・子局通信システム１００の処理の流れを示したものであり、特に子局２０から送信されてきた個体情報（子局２０の個体情報、オペレータ情報）が親局１０が保有する管理情報と一致していない場合の処理の流れを示したものである。
【０１３２】
まず、子局２０は、電源が投入されて操作入力待ち状態になったならば、オペレータによる入力装置３５などの操作状況から特定データ配信要求があるか否かを判断する（ステップＳ４００）。特定データ配信要求がないと判断したとき（Ｎｏ）は、そのまま待機するが、特定データ配信要求があったと判断したとき（Ｎｏ）は、次のステップＳ４０２に移行する。
【０１３３】
子局２０は、次のステップＳ４０２においてその特定データ配信要求をネットワークＮを介して親局１０に対してその子局２０の個体情報およびオペレータ情報と共に配信する。
【０１３４】
一方、親局１０は、電源投入後スタンバイ状態になったなら自己宛にいずれかの子局２０から特定データ配信要求があるか否かを判断（ステップＳ３００）しており、その特定データ配信要求を受信したときは、その特定データ配信要求と共に送られてきた子局２０の個体情報およびオペレータ情報を、自己が保持している子局２０の管理情報と照合する（ステップＳ３０４）。
【０１３５】
この結果、いずれの情報も一致していると判断したとき（Ｙｅｓ）は、次のステップＳ３０６に移行して要求された特定データを暗号化してその子局２０に送信するが、いずれか一方の情報が一致していないときあるいはその組み合わせが一致していないときは、その子局２０に対して操作停止信号を送信する（ステップＳ３１６）。
【０１３６】
子局２０は、配信要求を送信した親局１０からこの「操作停止信号」を受信したか否かを判断し（ステップＳ４２８）、この「操作停止信号」を受信していなければさらに要求した特定データを受信したか否かを判断し（ステップＳ４０５）、特定データを受信していれば、第１の実施形態と同様に受信した特定データを復号化して再生する（ステップＳ４０６）。
【０１３７】
一方、この子局２０は、配信要求を送信した親局１０からこの「操作停止信号」を受信した場合には、子局２０のすべての操作を強制的に停止する（ステップＳ４３０）。具体的には、電源オン・オフ操作以外の入力装置４５からの入力操作を一切受け付けないようにすることが考えられる。
【０１３８】
これによって、不正な子局２０またはオペレータへの特定データの配信を停止できるだけでなく、その子局２０に対する一切の操作も禁止することができるため、正当な子局２０に対する不正なオペレータによる悪用も防止できる。具体的には、紛失した子局２０を拾得した悪意のある第三者がその子局２０の特定データ配信・再生機能以外の機能の悪用（個人情報の取得など）を効果的に防止することができる。
【０１３９】
なお、この子局２０の強制停止処理は、第２の実施形態のように子局２０に保存した特定データを再生する際に親局１０に送信した子局２０の個体情報およびオペレータ情報が一致しない場合にも同様に適用しても良い。
【０１４０】
（第４の実施形態）
次に、本発明に係る親局管理・子局通信システム１００の第４の実施形態を説明する。なお、本実施の形態の親局管理・子局通信システム１００の構成も前述した第１の実施形態と同じであるため、その説明は割愛する。
【０１４１】
図１８は、第４の実施形態に係る親局管理・子局通信システム１００の処理の流れを示したものであり、第３の実施形態と同様に、特に子局２０から送信されてきた個体情報（子局２０の個体情報、オペレータ情報）が親局１０が保有する管理情報と一致していない場合の他の処理の流れを示したものである。
【０１４２】
まず、子局２０は、電源が投入されて操作入力待ち状態になったならば、オペレータによる入力装置３５などの操作状況から特定データ配信要求があるか否かを判断する（ステップＳ４００）。特定データ配信要求がないと判断したとき（Ｎｏ）は、そのまま待機するが、特定データ配信要求があったと判断したとき（Ｎｏ）は、次のステップＳ４０２に移行する。
【０１４３】
子局２０は、次のステップＳ４０２においてその特定データ配信要求をネットワークＮを介して親局１０に対してその子局２０の個体情報およびオペレータ情報と共に送信する。
【０１４４】
一方、親局１０は、電源投入後スタンバイ状態になったなら自己宛にいずれかの子局２０から特定データ配信要求があるか否かを判断（ステップＳ３００）しており、その特定データ配信要求を受信したときは、その特定データ配信要求と共に送られてきた子局２０の個体情報およびオペレータ情報を、自己が保持している子局２０の管理情報と照合する（ステップＳ３０４）。
【０１４５】
この結果、いずれの情報も一致していると判断したとき（Ｙｅｓ）は、次のステップＳ３０６に移行して要求された特定データを暗号化してその子局２０に送信するが、いずれか一方の情報が一致していないときあるいはその組み合わせが一致していないときは、その子局２０に対して操作停止信号を送信する（ステップＳ３１６）。
【０１４６】
子局２０は、配信要求を送信した親局１０からこの「操作停止信号」を受信したか否かを判断し（ステップＳ４２８）、この「操作停止信号」を受信していなければさらに要求した特定データを受信したか否かを判断し（ステップＳ４０５）、特定データを受信していれば、第１の実施形態と同様に受信した特定データを復号化して再生する（ステップＳ４０６）。
【０１４７】
一方、この子局２０は、配信要求を送信した親局１０からこの「操作停止信号」を受信した場合には、子局２０のすべての操作を強制的に停止する（ステップＳ４３０）。具体的には、電源オン・オフ操作以外の入力装置４５からの入力操作を一切受け付けないようにすることが考えられる。
【０１４８】
これによって、不正な子局２０またはオペレータへの特定データの配信を停止できるだけでなく、その子局２０に対する一切の操作も禁止することができるため、正当な子局２０に対する不正なオペレータによる悪用も防止できる。具体的には、紛失した子局２０を拾得した悪意のある第三者がその子局２０の特定データ配信・再生機能以外の機能の悪用（個人情報の取得など）を効果的に防止することができる。
【０１４９】
なお、この子局２０の強制停止処理は、第２の実施形態のように子局２０に保存した特定データを再生する際に親局１０に送信した子局２０の個体情報およびオペレータ情報が一致しない場合にも同様に適用しても良い。
【０１５０】
他方、子局２０に対して操作停止信号を送信した親局１０は、送信経過時間を計測し（ステップＳ３１８）、その後一定時間経過したならば、その子局２０に対して操作停止解除信号を送信して（ステップＳ３２０）処理を終了する。
【０１５１】
操作を強制停止した子局２０は、この「操作停止解除信号」の有無を判断し（ステップ４３２）、この「操作停止解除信号」を受信したときはその子局２０の操作停止を解除して操作受付可能状態に戻すことになる（ステップＳ４３４）。
【０１５２】
これによって、不正なオペレータによる子局の操作後であっても、所定時間経過すれば、正当なオペレータによる操作が可能となる。
【０１５３】
また、本発明の他の実施形態として、前記親局１０は、子局２０に特定データを配信するときに、その子局２０の運用可能な時間に関する情報も併せて配信して、その運用可能な時間に関する情報に基づいて子局２０の運用可能な時間を制限できるようにしても良い。
【０１５４】
これによって、親局１０主導の下に子局２０の適正な運用を図ることができるため、例えば特定データとして子供向けのゲームソフトなどを配信した場合に、予め保護者らがその子局２０の運用時間を制限する旨の契約や設定などをすることその子局２０を利用する子供のゲームのやり過ぎなどを防止することができる。
【０１５５】
（第５の実施形態）
次に、本発明に係る親局管理・子局通信システム１００の第５の実施形態を図１９〜図２４を参照しながら説明する。なお、以下の説明は前記各実施の形態と異なる点を主に述べ、共通する点についてはその説明を割愛する。
【０１５６】
図１９は、親局１０と子局２０の機能を示したブロック図である。図示するように、親局１０は、前述したような配信要求受信手段１１と、個体情報識別手段１２と、個体情報管理手段１３と、特定データ保存手段１４と、データ配信手段１５とを有して構成されている。
【０１５７】
この親局１０は、図２０に示すように電子計算機（コンピュータ：情報処理システム）から構成されており、ＣＰＵ（演算装置）３０、ＲＯＭ（読出専用記憶装置）３１、ＲＡＭ（主記憶装置）３２、バス３３、Ｉ／Ｆ（入出力インタフェース）３４、入力装置３５、表示装置３６、個体情報管理データベース（ＤＢ）３７、特定データ管理データベース（ＤＢ）３８などからなるハードウェアと、ＲＯＭ３１に予め記録された親局１０専用の各種制御プログラム（ソフトウェア）とによって図１９に示すような各手段１１乃至１５の機能を実現する。
【０１５８】
そして、本実施の形態においては、さらに復調機３０ａと、ＧＰＳ受信機３０ｂとを備えた構成となっており、公知のＧＰＳ（Global Positioning System：衛星測位システム）機能を用いた親局１０の位置情報をも取得可能となっている。すなわち、ＧＰＳ信号受信機能は、ＧＰＳ信号受信アンテナを備えたＧＰＳ受信機３０ｂと復調機３０ａとによってＧＰＳ信号を受信し、この受信信号から所定バンドを共振抽出してその信号を増幅し、この入力信号から緯度経度情報などを用いて親局１０の現在位置を算出するようになっている。
【０１５９】
一方、子局２０は、前述したようなオペレータ情報入力手段２１と、配信要求送信手段２２と、データ受信手段２３と、データ再生手段２４と、特定データ記憶手段２５の他に位置情報検知手段とを有して構成されている。
【０１６０】
この子局２０も図２１に示すように電子計算機（コンピュータ：情報処理システム）から構成されており、ＣＰＵ（演算装置）４０、ＲＯＭ（読出専用記憶装置）４１、ＲＡＭ（主記憶装置）４２、バス４３、Ｉ／Ｆ（入出力インタフェース）４４、入力装置４５、表示装置４６、印刷装置４７、特定データ記憶装置４８などからなるハードウェアと、ＲＯＭ４１に予め記録された子局２０専用の各種制御プログラム（ソフトウェア）とによって図１９に示すような各手段２１乃至２６の機能を実現する。
【０１６１】
そして、この子局２０も親局１０と同様に、さらに復調機４０ａと、ＧＰＳ受信機４０ｂとを備えた構成となっており、公知のＧＰＳ（Global Positioning System：衛星測位システム）機能を用いた子局２０の位置情報をも取得可能となっている。すなわち、ＧＰＳ信号受信機能は、ＧＰＳ信号受信アンテナを備えたＧＰＳ受信機３０ｂと復調機３０ａとによってＧＰＳ信号を受信し、この受信信号から所定バンドを共振抽出してその信号を増幅し、この入力信号から緯度経度情報などを用いて子局２０の現在位置を算出するようになっている。
【０１６２】
図２２は、この子局２０の新しい機能である位置情報検知手段２６の機能を示したものである。この位置情報検知手段２６は、前記配信要求送信手段２２が起動すると同時に起動して最初のステップＳ２６１に移行する。
【０１６３】
ステップＳ２６１では、前述したようなＧＰＳ信号受信機能を用いてＧＰＳ受信信号に基づき子局の現在位置を検出して次のステップＳ２６３に移行する。すなわち、本実施の形態における子局２０は、携帯電話や車載型のコンピュータ（カーナビゲーションシステム）などといった移動端末を対象としている。
【０１６４】
ステップＳ２６３では、検知した現在位置の位置情報を配信要求送信手段２２に送信して処理を終了する。
【０１６５】
図２３は、親局１０のデータ配信手段１５の他の機能を示したものである。このデータ配信手段１５は、最初のステップＳ１５１において前述したように個体情報識別手段１２から送られてきた照合結果を判断し、いずれの情報およびその組み合わせが、個体情報管理ＤＢ３７で管理された正当な情報と一致するか否かを判断し、一致すると判断したとき（Ｙｅｓ）は次のステップＳ１５２に移行する。反対に、一致しないと判断したとき（Ｎｏ）は、ステップＳ１５４に移行して子局２０に送信拒否通知をして処理を終了する。
【０１６６】
ステップＳ１５２では、さらにその子局２０の位置情報を受信したか否かを判断し、受信したと判断したとき（Ｙｅｓ）は、次のステップＳ１５３に移行し、反対に受信していないと判断したとき（Ｎｏ）は、ステップＳ１５４に移行して子局２０に送信拒否通知をして処理を終了する。
【０１６７】
ステップＳ１５３では、その要求が正当な子局２０および利用者からのものとみなして要求された特定データを特定データ管理ＤＢ３８から読み出して次にステップ１５５に移行する。ステップＳ１５５では、読み出した特定データを暗号化して要求してきた子局２０に対して配信して処理を終了する。
【０１６８】
図２４は、第５の実施形態に係る親局管理・子局通信システム１００の処理の流れを示したものであり、特に子局２０から送信されてきた位置情報が親局１０が管理するサービスエリアと一致していない場合の処理の流れを示したものである。
【０１６９】
まず、子局２０は、電源が投入されて操作入力待ち状態になったならば、オペレータによる入力装置３５などの操作状況から特定データ配信要求があるか否かを判断する（ステップＳ４００）。特定データ配信要求がないと判断したとき（Ｎｏ）は、そのまま待機するが、特定データ配信要求があったと判断したとき（Ｎｏ）は、次のステップＳ４０１に移行する。
【０１７０】
子局２０は、次のステップＳ４０１において前述したＧＰＳ位置検出機能によりその子局２０の現在地に関する位置情報を取得して次のステップＳ４０２に移行し、その特定データ配信要求を、ネットワークＮを介して親局１０に対してその子局２０の個体情報およびオペレータ情報とその子局２０の位置情報と共に配信する。
【０１７１】
一方、親局１０は、電源投入後スタンバイ状態になったなら自己宛にいずれかの子局２０から特定データ配信要求があるか否かを判断（ステップＳ３００）しており、その特定データ配信要求を受信したときは、その特定データ配信要求と共に送られてきた子局２０の個体情報およびオペレータ情報を、自己が保持している子局２０の管理情報と照合する（ステップＳ３０２、Ｓ３０３）。
【０１７２】
この結果、いずれの情報も一致していると判断したとき（Ｙｅｓ）は、次のステップＳ３０４に移行するが、いずれか一方の情報が一致していないときあるいはその組み合わせが一致していないとき（Ｎｏ）は、その子局２０に対して配信拒否通知を送信する。
【０１７３】
親局１０は、ステップＳ３０４において、個体情報およびオペレータ情報と共に送信されてきた子局２０の位置情報からその子局２０の現在位置がサービスエリア内であるか否かを判断する。
【０１７４】
この結果、サービスエリア内であるとき（Ｙｅｓ）は、次のステップＳ３０６に移行するが、サービスエリア内でないとき（Ｎｏ）はその子局２０に対して配信拒否通知を送信する。
【０１７５】
親局１０は、最後のステップＳ３０６において、すべての条件を満たすとして要求された特定データを暗号化してその子局２０に対して送信して処理を終了する。
【０１７６】
一方、この子局２０は、配信要求を送信した親局１０からこの「配信拒否通知」を受信した場合、およびこの「配信拒否通知」を受信しなかったが何らかのトラブルなどで特定データを受信しなかった場合には、処理を終了する（ステップＳ４０４、Ｓ４０５）が、特定データを受信した場合には、受信した特定データを復号化して再生して処理を終了する。
【０１７７】
これによって、親局１０は子局２０の現在位置を把握することができるため、配信サービスエリアを設定することが可能となり、例えば移動体である子局２０が配信サービスエリア内から外れたときには、特定データの配信を停止するなどといったきめ細かな配信サービスを実施することができる。
【０１７８】
なお、前記各実施の形態において、親局１０を構成する配信要求受信手段１１は、具体的には、図３に示す親局１０のＲＯＭ３１に記録された配信要求受信用のプログラム（ソフトウェア）が、ＣＰＵ３０，ＲＡＭ３２、バス３３、入力装置３５、表示装置３６、Ｉ／Ｆ３４などのハードウェアと協動することによって実現することができる。
【０１７９】
また、親局１０を構成する個体情報識別手段１２は、具体的には、図３に示す親局１０のＲＯＭ３１に記録された個体情報識別用のプログラム（ソフトウェア）が、ＣＰＵ３０，ＲＡＭ３１、個体情報管理ＤＢ３７などのハードウェアと協動することによって実現することができる。
【０１８０】
また、親局１０を構成する個体情報管理手段１３は、具体的には、図３に示す親局１０のＲＯＭ３１に記録された個体情報管理用のプログラム（ソフトウェア）が、ＣＰＵ３０，ＲＡＭ３２、バス３３、個体情報管理ＤＢ３７などのハードウェアと協動することによって実現することができる。
【０１８１】
また、親局１０を構成する特定データ保存手段１４は、具体的には、図３に示す親局１０のＲＯＭ３１に記録された特定データ保存用のプログラム（ソフトウェア）が、ＣＰＵ３０，ＲＡＭ３２、バス３３、特定データ管理ＤＢ３８などのハードウェアと協動することによって実現することができる。
【０１８２】
さらに、親局１０を構成するデータ配信手段１５は、具体的には、図３に示す親局１０のＲＯＭ３１に記録された配信要求受信用のプログラム（ソフトウェア）が、ＣＰＵ３０，ＲＡＭ３２、バス３３、Ｉ／Ｆ３４、特定データ管理ＤＢ３８などのハードウェアと協動することによって実現することができる。
【０１８３】
一方、子局２０を構成するオペレータ情報入力手段２１は、具体的には、図４に示す子局２０のＲＯＭ４１に記録されたオペレータ情報入力用のプログラム（ソフトウェア）が、ＣＰＵ４０，ＲＡＭ４２、バス４３、入力装置４５、表示装置４６などのハードウェアと協動することによって実現することができる。
【０１８４】
また、子局２０を構成する配信要求送信手段２２は、具体的には、図４に示す子局２０のＲＯＭ４１に記録された配信要求送信用プログラム（ソフトウェア）が、ＣＰＵ４０，ＲＡＭ４２、バス４３、Ｉ／Ｆ４４、入力装置４５、表示装置４６などのハードウェアと協動することによって実現することができる。
【０１８５】
また、子局２０を構成するデータ受信手段２３は、具体的には、図４に示す子局２０のＲＯＭ４１に記録されたデータ受信用プログラム（ソフトウェア）が、ＣＰＵ４０，ＲＡＭ４２、バス４３、Ｉ／Ｆ４４、表示装置４６などのハードウェアと協動することによって実現することができる。
【０１８６】
また、子局２０を構成するデータ再生手段２４は、具体的には、図４に示す子局２０のＲＯＭ４１に記録されたデータ再生用プログラム（ソフトウェア）が、ＣＰＵ４０，ＲＡＭ４２、バス４３、Ｉ／Ｆ４４、表示装置４６、印刷装置４７などのハードウェアと協動することによって実現することができる。
【０１８７】
また、子局２０を構成する特定データ記憶手段２５は、具体的には、図４に示す子局２０のＲＯＭ４１に記録された特定データ記憶用プログラム（ソフトウェア）が、ＣＰＵ４０，ＲＡＭ４２、バス４３、Ｉ／Ｆ４４、入力装置４５，特定データ記憶装置４８などのハードウェアと協動することによって実現することができる。
【０１８８】
また、第５の実施の形態における子局２０を構成する位置情報検知手段２６は、具体的には、図２１に示す子局２０のＲＯＭ４１に記録された位置情報検知用プログラム（ソフトウェア）が、復調機４０ａ、ＧＰＳ受信機４０ｂ、ＣＰＵ４０，ＲＡＭ４２、バス４３、Ｉ／Ｆ４４などのハードウェアと協動することによって実現することができる。
【産業上の利用可能性】
【０１８９】
本発明の親局管理・子局通信システム１００は、単一のネットワークのみならず、複数のネットワークを介した親局管理・子局通信システムにも適用できる。
【符号の説明】
【０１９０】
１００    親局管理・子局通信システム
１０    親局（電子計算機）
１１    配信要求受信手段
１２    個体情報識別手段
１３    個体情報管理手段
１４    特定データ保存手段
１５    データ配信手段
２０    子局（電子計算機）
２１    ペレータ情報入力手段
２２    配信要求送信手段
２３    データ受信手段
２４    データ再生手段
２５    特定データ記憶手段
２６    位置情報検知手段
３０、４０    ＣＰＵ（演算装置）
３１、４１    ＲＯＭ（読出専用記憶装置）
３２、４２    ＲＡＭ（主記憶装置）
３３、４３    バス
３４、４４    Ｉ／Ｆ（入出力インタフェース）
３５、４５    入力装置
３６、４６    表示装置
３７    個体情報管理ＤＢ（データベース）
３８    特定データ管理ＤＢ（データベース）
４７    印刷装置
４８    特定データ記憶装置
３０ａ、４０ａ    復調機
３０ｂ、４０ｂ    ＧＰＳ受信機
Ｎ    ネットワーク
【図１】
2012038232.tif 000003
【図２】
2012038232.tif 000004
【図３】
2012038232.tif 000005
【図４】
2012038232.tif 000006
【図５】
2012038232.tif 000007
【図６】
2012038232.tif 000008
【図７】
2012038232.tif 000009
【図８】
2012038232.tif 000010
【図９】
2012038232.tif 000011
【図１０】
2012038232.tif 000012
【図１１】
2012038232.tif 000013
【図１２】
2012038232.tif 000014
【図１３】
2012038232.tif 000015
【図１４】
2012038232.tif 000016
【図１５】
2012038232.tif 000017
【図１６】
2012038232.tif 000018
【図１７】
2012038232.tif 000019
【図１８】
2012038232.tif 000020
【図１９】
2012038232.tif 000021
【図２０】
2012038232.tif 000022
【図２１】
2012038232.tif 000023
【図２２】
2012038232.tif 000024
【図２３】
2012038232.tif 000025
【図２４】
2012038232.tif 000026